(57)【要約】      （修正有）【課題】椅子の座に高通気性を持たせるためには、座に特殊素材を使用して通気性を確保するが、それとも換気機構を設けて通気性を確保していたが、特殊素材や構造を採用すると製造コスト高になるので、一般素材を使用した安価な高通気性椅子の座が期待されていた。【解決手段】着座者が座る椅子の木製座枠部分に高通気性の網類９を張って通気性を確保し、更に網類に木製ブロック５を、特に切り口を上にして、間隔を保って敷き詰めることによって適度の硬さと高通気性を有する椅子の座とする。【選択図】図４
0003113793.tif 000002
【実用新案登録請求の範囲】
【請求項１】
座に高通気性網類を張り、該網類にブロックを着座者に違和感を与えない程度の間隔を保って敷き詰めて固定することで適度の硬さと通気性を高めた高通気性椅子の座。
【請求項２】
着座者の臀部との接触面を木の切り口として吸湿性を高めた請求項１の高通気性椅子の座。
【考案の詳細な説明】
【技術分野】
【０００１】  本考案は、高通気性椅子の座に関するものである。
【背景技術】
【０００２】  椅子には様々な種類がある。木製の椅子、パイプ椅子、布張り椅子、ソファー等々があり、重要な家具である。
椅子の目的は、着座者がゆったりと座ることが重要な要素であり、人間工学の観点から機能重視の椅子が開発されている。また、椅子は家具としても重要な位置を占めるので、デザインも重要な要素となっている。
椅子の最も重要な要素は、長時間座っていても疲れないことであろう。そのためには、着座者の臀部と椅子の座部との密着部におけるストレスが生じないことであろう。このストレスには、臀部の疲労が生じないことであり、腰が痛くならないと表現することができる。次に、密着部分において発汗を最小限に抑えることである。着座者の臀部が椅子の座部を密着するので、臀部の汗の蒸発が損なわれることで不愉快になってしまうことがある。そこで、様々な通気性向上の手段や素材が開発されている。
多くの椅子の座部素材は、天然或いは人工素材の布類を使用し、弾力性を持たせるために内部にクッション材を封入している。このクッション材の効果は、臀部の凹凸に沿って椅子の座部を宛がうので、臀部と座部との接触面積を増やして荷重量を低減させ、臀部の特定部位の疲労を軽減させている。
次に、通気性は素材に依るところが多く、通気性がよい素材を用いている。素材は表面の布地の通気性も重要であるが、内部のクッション材の通気性が重要となっている。このクッション材の通気性は、繊維の織り方を工夫して通気性を持たせた素材や、通気孔を加工した素材、更に機械的に換気する手段の椅子もある。
【特許文献１】特開２００４−１６２２０４号公報
【特許文献２】特開２００１−３５３０４８号公報
【特許文献３】特開２００１−８９９５９号公報
【特許文献４】特開平８−２８０４８９号公報
【考案の開示】
【考案が解決しようとする課題】
【０００３】  通気性が悪い座部を有する椅子を使うと、臀部における汗の蒸散効率が低いために、臀部の汗ばみ現象が現れる。この現象は、臀部の不快感となってしまうので、座部の通気性は重要な要素である。
そこで、通気性に富む座部の開発に力が注がれ、十分な通気性を有する椅子も出ているが、特殊素材や構造物となっていて、製造コスト面においては未だ課題が残る。
そこで、安価な従来の素材を使用した通気性に富む座部を有する椅子の開発が所望されていた。
【課題を解決するための手段】
【０００４】  従来の一般的な木製椅子は図１のような形状をしている。
この椅子を構成する部位は、概ね、背（１）、座（２）、脚（３）に分かれる。
本図における座（２）は、一枚の板より構成されるので通気性は皆無である。
多種類ある椅子の中で、最も古くから製造され、また安価な素材は木材であろう。近年は、金属製や石油製品製が多用される傾向から木材の使用量が激減し、木材の需要が減ったために森林整備が疎かにされている。
一方、プラスチック等の石油製品を各部位に使用した椅子は、処分する際には様々な問題を投げかける結果となっている。その一つにゴミ問題があり、石油製品は腐敗することなくゴミとして残ってしまう欠点がある。そこで、石油製品を使用した椅子を焼却処理することになるが、排煙や有毒な焼却ガスが発生するという公害問題を呈することにもなる。
しかし、天然素材の木材を使用すれば、上記の問題は解決され、更に、近年の天然素材を歓迎する風潮からも好ましい素材と言えよう。【０００５】  通気性が最も良い材料は、網類であろう。網（メッシュ）は、繊維類と比較すれば格段に大きい通気性孔を有するので通気性は非常によい。
次に、この網類の上に木製ブロックを敷くが、木製には限定しない。
木製ブロックは、多角形でも円形でも良いが、隣接するブロックにある程度の隙間を与えて通気性を持たせるとよいが、着座者に不快感を与えないことを考慮しなければならない。【０００６】  通気性を持たせるための網類は、ある程度の弾力性を有するので、臀部の形状に沿って変形して臀部の圧迫感を低減することにもなる。
【考案の効果】
【０００７】  本考案は、椅子の座部を網類に木製ブロックを敷いた形状とするので、隣接する木製ブロック間の隙間が通気性を有し、更に網類の多くの孔が通気性をもたらす。
そして、網類は若干の弾力性を有するので、臀部及び腰に過度の荷重を与えることがないので、疲労を軽減させる特長がある。
また、木製の椅子であるので、焼却処分等の廃棄処理においても公害を発生させることはない。
更に、木製ブロックの着座者との接触面を木の切り口にすれば、切り口には木の導管が露出しているので吸湿性に富み、着座者の汗による臀部の不快感を解消し、発汗を促進させる効果も奏する。
【考案を実施するための最良の形態】
【０００８】  椅子の座部に網類を張り、網類上に木製ブロックを多数敷き詰める。網類の弾力性と、網類の多数の孔と木製ブロック間の隙間が通気性を発揮して、快適な木製椅子となる。
【実施例１】
【０００９】  本考案の第１実施例を図２で説明する。
本考案の椅子は、背（１）を省略した実施例であり、構成要素を大別すると、木製の座（２）と脚（３）に分かれる。
本実施例の座（２）は、着座者の臀部と接触する場所に通気性と柔軟性を持たせるために、張った網（４）上に木製ブロック（５）を適宜間隔を保って敷き詰めて固定する。間隔は、着座者の臀部に違和感を与えない程度の間隔とする。
網（４）は、十分な柔軟性を有する素材を使用すると着座者の臀部が埋没してしまうが、柔軟性が乏しい素材であれば問題はない。
網（４）は縦・横繊維が組み合わさった織り方であるので、十分な通気性を有する多くの孔を持つ。木製ブロック（５）は臀部に適度の硬さを与え、木製ブロック（５）間の隙間は通気性を与える。【００１０】  図３は、本考案の座を使用した椅子の第１実施例の分解図である。
椅子は、座（２）と脚（３）に分解することができ、相互にネジ（６ａ）で固定する。
脚（３）の上部の四角孔（７）は、通気孔の役目を果たす。【００１１】  図４は、座の分解図である。
座（２）の最下部は座枠（８）であり、この中に少し小さ目の網部（９）が嵌入し、更に網部（９）の上部に座枠押え板（１０）を重ね、ネジ（６ｂ）で下方から座枠（８）と網部（９）及び座枠押え板（１０）を相互に固定する。
座枠押え板（１０）の中央切欠き部（１１）に網部（９）の木製ブロック（５）が収まるようにする。【００１２】  図５は、座の網部の構造を示す図である。
網部（９）は、弱柔軟性の網（４）を網忰（１２）の底面まで廻して取り付ける。これは着座者の体重を支えるために網（４）を強固に網枠（１２）に固定するためである。
網（４）の上部には、適度の間隔を保って木製ブロック（５）を敷き詰めて固定するが、着座者の臀部に違和感を与えない程度の間隔にする。【００１３】  本実施例は、高通気性の椅子の例であるが、寝具（ベッド）等に応用することできる。
【実施例２】
【００１４】  本考案の第２実施例を図６で説明する。
本第２実施例は、木製ブロック（５）と着座者の臀部が接触する面を、木の切り口（１３）とした実施例である。
木を真横に切断すると、切り口（１３）の切断面には年輪（１４）が現れる。但し、熱帯地方の木には年輪がないものもある。この切り口（１３）は、木の導管を輪切りにした状態になっていて、乾燥木材であれば導管は細い管となり吸湿性を持つ。
【産業上の利用可能性】
【００１５】  椅子の着座状況は、短時間であるか長時間であるかによって適する椅子が違ってくる。短時間の着座であれば、柔らかい素材で通気性が少々悪くても安堵感を与えるが、長時間の着座の場合は身体に障害を与える。
柔軟素材の椅子に長時間着座すれば、無理な姿勢が長時間継続することから身体の各部位にストレスを起こさせて、疲労や痛みを伴う場合がある。また、椅子との接触部分である臀部の発汗を促進させ、更に通気性が悪いと汗の蒸散を阻害するので不快となる。
本考案の椅子は、高通気性と共に網を弱柔軟性としているので、長時間の着座でも身体の部位に過度の負担を強いることはない。
以上から、長時間使用の椅子として最適である。また、寝具（ベッド）等に応用すれば、病床における褥瘡も解消される。
【符号の説明】
【００１６】１    背
２    座
３    脚
４    網
５    木製ブロック
６ａ  ネジ
６ｂ  ネジ
７    四角孔
８    座枠
９    網部
１０  座枠押え板
１１  中央切欠き部
１２  網枠
１３  切り口
１４  年輪
【図面の簡単な説明】
【００１７】
【図１】従来の椅子の実施例を示す図である。（従来例）
【図２】本考案を使用した椅子の実施例を示す図である。（第１実施例）
【図３】本考案を使用した椅子の実施例を示す分解図である。（第１実施例）
【図４】本考案の実施例の分解図である。（第１実施例）
【図５】本考案の実施例の網部を示す分解図である。（第１実施例）
【図６】本考案の実施例を示す図である。（第２実施例）
【図１】
0003113793.tif 000003
【図２】
0003113793.tif 000004
【図３】
0003113793.tif 000005
【図４】
0003113793.tif 000006
【図５】
0003113793.tif 000007
【図６】
0003113793.tif 000008